(57)【要約】  【課題】  レンズ部材をケース部材にレーザ溶着により十分な強度で良好に取り付けることができる取付方法を提供する。  【解決手段】  開口部に傾斜面２ａを有するバレルホルダ２が設けられたケース部材１とバレル４にレンズ５が装着されてなるレンズ部材３とクサビリング６を準備し、レンズ部材３をバレルホルダ２に挿入してレンズ５の焦点を合わせ、次に、バレル４にクサビリング６をはめ込んで外周傾斜面６ａをバレルホルダ２の傾斜面２ａに当接させ、しかる後、レーザＬを照射してクサビリング６をバレルホルダ２およびバレル４に溶着して、レンズ部材３をケース部材１に取り付ける。焦点合わせを行なった状態で安定して良好なレーザ溶着が可能となり、十分な強度でレンズ部材３のバレル４をケース部材１のバレルホルダ２に取り付けることができる。【選択図】  図２
2010107544.tif 000002
【特許請求の範囲】
【請求項１】
開口部に外側に向かって広がる傾斜面を有するバレルホルダが設けられたカメラモジュールのケース部材を準備するとともに、前記バレルホルダに取り付けられる円筒状のバレルにレンズが装着されてなるレンズ部材を準備する工程と、
前記バレルホルダの前記傾斜面に対応する外周傾斜面および前記バレルの外側面に対応する内周面を有し、周方向の一部に切断部が形成されたクサビリングを準備する工程と、
前記レンズ部材を前記バレルホルダに挿入し、前記レンズ部材を前記レンズの光軸方向に動かして、前記カメラモジュールの撮像面に前記レンズの焦点を合わせる工程と、
次に、前記バレルの外側面に前記クサビリングをはめ込んで、該クサビリングの前記内周面を前記バレルの前記外側面に当接させるとともに前記クサビリングの前記外周傾斜面を前記バレルホルダの前記傾斜面に当接させる工程と、
しかる後、前記クサビリングの前記外周傾斜面に当接している前記バレルホルダの前記傾斜面および前記クサビリングの前記内周面に当接している前記バレルの外側面にレーザを照射して、前記クサビリングを前記バレルホルダおよび前記バレルに溶着して、前記レンズ部材を前記ケース部材に取り付ける工程と
を具備することを特徴とするカメラモジュールにおけるレンズ部材の取付方法。
【請求項２】
開口部に外側に向かって広がる傾斜面を有するバレルホルダが設けられたカメラモジュールのケース部材を準備するとともに、前記バレルホルダに取り付けられる円筒状のバレルにレンズが装着されてなるレンズ部材を準備する工程と、
前記バレルホルダの前記傾斜面に対応する外周傾斜面および前記バレルの外側面に対応する内周面を有し、周方向の一部に切断部が形成されたクサビリングを準備する工程と、
前記レンズ部材を、前記バレルの外側面に前記クサビリングを装着して前記バレルホルダに挿入する工程と、
前記レンズ部材を前記レンズの光軸方向に動かして、前記カメラモジュールの撮像面に前記レンズの焦点を合わせる工程と、
次に、前記クサビリングの前記内周面を前記バレルの前記外側面に当接させるとともに前記クサビリングの前記外周傾斜面を前記バレルホルダの前記傾斜面に当接させる工程と、
しかる後、前記クサビリングの前記外周傾斜面に当接している前記バレルホルダの前記傾斜面および前記クサビリングの前記内周面に当接している前記バレルの外側面にレーザを照射して、前記クサビリングを前記バレルホルダおよび前記バレルに溶着して、前記レンズ部材を前記ケース部材に取り付ける工程と
を具備することを特徴とするカメラモジュールにおけるレンズ部材の取付方法。
【請求項３】
開口部に外側に向かって広がる傾斜面を有するバレルホルダが設けられたカメラモジュールのケース部材を準備するとともに、前記バレルホルダに取り付けられる円筒状のバレルにレンズが装着されてなるレンズ部材を準備する工程と、
前記バレルホルダの前記傾斜面に対応する外周傾斜面および前記バレルの外側面に対応する内周面を有し、周方向の一部に切断部が形成されたクサビリングを準備する工程と、
前記レンズ部材を、前記バレルの外側面に前記クサビリングを装着して前記バレルホルダに挿入する工程と、
前記クサビリングの前記外周傾斜面を前記バレルホルダの前記傾斜面に当接させながら、前記レンズ部材を前記レンズの光軸方向に動かして、前記カメラモジュールの撮像面に前記レンズの焦点を合わせる工程と、
しかる後、前記クサビリングの前記外周傾斜面に当接している前記バレルホルダの前記傾斜面および前記クサビリングの前記内周面に当接している前記バレルの外側面にレーザを照射して、前記クサビリングを前記バレルホルダおよび前記バレルに溶着して、前記レンズ部材を前記ケース部材に取り付ける工程と
を具備することを特徴とするカメラモジュールにおけるレンズ部材の取付方法。
【請求項４】
前記クサビリングとして前記レーザを透過させる樹脂からなるものを用い、前記バレルホルダおよび前記バレルとして前記レーザを吸収する樹脂からなるものを用いることを特徴とする請求項１乃至請求項３のいずれかに記載のカメラモジュールにおけるレンズ部材の取付方法。
【発明の詳細な説明】
【技術分野】
【０００１】
本発明は、いわゆるビューカメラやセンサカメラ等の車載カメラに好適であり、カメラ付き携帯電話やカメラ付きノートパソコン等にも利用可能なカメラモジュールに関し、それらカメラモジュールにおいてレンズ部材を焦点位置を調整しつつ簡易な工程で取り付けることができるレンズ部材の取付方法に関するものである。
【背景技術】
【０００２】
カメラ付き携帯電話やカメラ付きノートパソコンに組み込まれる小型オンボードカメラをはじめとして、いわゆるビューカメラやセンサカメラ等の車載カメラとして用いられるカメラモジュールは、いずれも小型で低コストでありながら精度が高く耐久性にも優れていることが要求されている。特に、撮像素子とともにカメラモジュールの主要な構成部材であるレンズ部材には、レンズを安定して保持しつつ撮像素子に対する焦点合わせを精度よく行なって、できるだけ簡易な工程で取り付けてカメラモジュールを構成することが要求されている。
【０００３】
これに対し、レンズ部材としてレンズを保持する円筒状の部材であるバレルとバレルを保持する円筒状の部材であるバレルホルダとを用いて、このバレルホルダをカメラモジュールの筐体の一部としておいて、それに対してバレルの位置を軸方向に摺動して調整することによって、レンズが対向する撮像素子に対してレンズの焦点合わせを行ない、その後にバレルの外周面をバレルホルダの内周面に接着する、あるいはバレルの外周面をバレルホルダの内周面にレーザ溶着により溶着することによって固定して、レンズ部材をカメラモジュールに取り付けることが行なわれている。
【０００４】
また、例えば特許文献１には、カメラモジュールの製造方法として、内周部にレンズを有し外周部にネジ部が形成された内側鏡筒部を、内周部に内側鏡筒部のネジ部に螺合するネジ部を有する外側鏡筒部に螺合させ、内側鏡筒部と外側鏡筒部のうちの一方に対する他方の繰り出し量を調整し、内側鏡筒部のネジ部と外側鏡筒部のネジ部との合わせ目にレーザ光を照射して内側鏡筒部のネジ部と外側鏡筒部のネジ部との合わせ目の少なくとも一方の面を繰り出し量の方向に0.5ｍｍ以上で３ｍｍ以下溶融させて硬化させる製造方法が開示されている。この特許文献１に開示されたカメラモジュールの製造方法によれば、内側鏡筒部と外側鏡筒部とを溶着固定することによって、大きな固定強度を得ることができるというものである。
【特許文献１】特開2006−106517号公報
【発明の開示】
【発明が解決しようとする課題】
【０００５】
しかしながら、いずれも円筒状の部材であるバレルとバレルホルダとを摺動させてレンズの焦点合わせを行なってから固定する方法では、バレルの摺動面とバレルホルダの摺動面との間には、摺動させるために少なからず間隔が必要なために隙間が生じてしまう。ところが、両者を固定するのに、硬化時間が必要な接着剤を用いた接着ではなく瞬時に固定できるレーザ溶着を行なおうとすると、レーザ溶着の場合には溶着する面同士をある程度の圧力をかけて密着させておく必要があるため、バレルとバレルホルダとの間に隙間が生じているために良好な溶着ができないか、または溶着できても全周で一様に十分な強度を得ることが難しいという問題点があった。
【０００６】
また、特許文献１に開示されたカメラモジュールの製造方法では、バレルに相当する内側鏡筒部のネジ部とバレルホルダに相当する外側鏡筒部のネジ部との合わせ目にレーザ光を照射する際に、この溶着しようとする合わせ目においても対向する面同士に十分な圧力がかかった状態とは言えないため、やはり全周で一様に十分な強度で溶着することが難しいという問題点があった。また、ネジ部の合わせ目を溶着することから、カメラモジュールが小型化してネジ部も小さくなっていく中では、十分な溶着面積を確保することが難しいという問題点もあった。
【０００７】
本発明は以上のような従来の技術における問題点に鑑みて案出されたものであり、その目的は、円筒状のバレルにレンズが装着されてなるレンズ部材をバレルホルダが設けられたケース部材に、焦点合わせを行なってレーザ溶着により十分な強度で良好に取り付けることができる、カメラモジュールにおけるレンズ部材の取付方法を提供することにある。
【課題を解決するための手段】
【０００８】
本発明の第１のカメラモジュールにおけるレンズ部材の取付方法は、開口部に外側に向かって広がる傾斜面を有するバレルホルダが設けられたカメラモジュールのケース部材を準備するとともに、前記バレルホルダに取り付けられる円筒状のバレルにレンズが装着されてなるレンズ部材を準備する工程と、前記バレルホルダの前記傾斜面に対応する外周傾斜面および前記バレルの外側面に対応する内周面を有し、周方向の一部に切断部が形成されたクサビリングを準備する工程と、前記レンズ部材を前記バレルホルダに挿入し、前記レンズ部材を前記レンズの光軸方向に動かして、前記カメラモジュールの撮像面に前記レンズの焦点を合わせる工程と、次に、前記バレルの外側面に前記クサビリングをはめ込んで、該クサビリングの前記内周面を前記バレルの前記外側面に当接させるとともに前記クサビリングの前記外周傾斜面を前記バレルホルダの前記傾斜面に当接させる工程と、しかる後、前記クサビリングの前記外周傾斜面に当接している前記バレルホルダの前記傾斜面および前記クサビリングの前記内周面に当接している前記バレルの外側面にレーザを照射して、前記クサビリングを前記バレルホルダおよび前記バレルに溶着して、前記レンズ部材を前記ケース部材に取り付ける工程とを具備することを特徴とするものである。
【０００９】
また、本発明の第２のカメラモジュールにおけるレンズ部材の取付方法は、開口部に外側に向かって広がる傾斜面を有するバレルホルダが設けられたカメラモジュールのケース部材を準備するとともに、前記バレルホルダに取り付けられる円筒状のバレルにレンズが装着されてなるレンズ部材を準備する工程と、前記バレルホルダの前記傾斜面に対応する外周傾斜面および前記バレルの外側面に対応する内周面を有し、周方向の一部に切断部が形成されたクサビリングを準備する工程と、前記レンズ部材を、前記バレルの外側面に前記クサビリングを装着して前記バレルホルダに挿入する工程と、前記レンズ部材を前記レンズの光軸方向に動かして、前記カメラモジュールの撮像面に前記レンズの焦点を合わせる工程と、次に、前記クサビリングの前記内周面を前記バレルの前記外側面に当接させるとともに前記クサビリングの前記外周傾斜面を前記バレルホルダの前記傾斜面に当接させる工程と、しかる後、前記クサビリングの前記外周傾斜面に当接している前記バレルホルダの前記傾斜面および前記クサビリングの前記内周面に当接している前記バレルの外側面にレーザを照射して、前記クサビリングを前記バレルホルダおよび前記バレルに溶着して、前記レンズ部材を前記ケース部材に取り付ける工程とを具備することを特徴とするものである。
【００１０】
また、本発明の第３のカメラモジュールにおけるレンズ部材の取付方法は、開口部に外側に向かって広がる傾斜面を有するバレルホルダが設けられたカメラモジュールのケース部材を準備するとともに、前記バレルホルダに取り付けられる円筒状のバレルにレンズが装着されてなるレンズ部材を準備する工程と、前記バレルホルダの前記傾斜面に対応する外周傾斜面および前記バレルの外側面に対応する内周面を有し、周方向の一部に切断部が形成されたクサビリングを準備する工程と、前記レンズ部材を、前記バレルの外側面に前記クサビリングを装着して前記バレルホルダに挿入する工程と、前記クサビリングの前記外周傾斜面を前記バレルホルダの前記傾斜面に当接させながら、前記レンズ部材を前記レンズの光軸方向に動かして、前記カメラモジュールの撮像面に前記レンズの焦点を合わせる工程と、しかる後、前記クサビリングの前記外周傾斜面に当接している前記バレルホルダの前記傾斜面および前記クサビリングの前記内周面に当接している前記バレルの外側面にレーザを照射して、前記クサビリングを前記バレルホルダおよび前記バレルに溶着して、前記レンズ部材を前記ケース部材に取り付ける工程とを具備することを特徴とするものである。
【００１１】
また、本発明のカメラモジュールにおけるレンズ部材の取付方法は、上記各構成において、前記クサビリングとして前記レーザを透過させる樹脂からなるものを用い、前記バレルホルダおよび前記バレルとして前記レーザを吸収する樹脂からなるものを用いることを特徴とするものである。
【発明の効果】
【００１２】
本発明の第１のカメラモジュールにおけるレンズ部材の取付方法によれば、上記構成により、ケース部材のバレルホルダに取り付けられる円筒状のバレルにレンズが装着されてなるレンズ部材を準備し、レンズ部材をバレルホルダに挿入し、レンズ部材をレンズの光軸方向に動かして、カメラモジュールの撮像面にレンズの焦点を合わせて、次に、バレルの外側面に上記クサビリングをはめ込んで、このクサビリングの内周面をバレルの外側面に当接させるとともにクサビリングの外周傾斜面をバレルホルダの傾斜面に当接させ、しかる後、クサビリングの外周傾斜面に当接しているバレルホルダの傾斜面およびクサビリングの内周面に当接しているバレルの外側面にレーザを照射して、クサビリングをバレルホルダおよびバレルに溶着して、レンズ部材をケース部材に取り付けることから、レンズ部材のバレルとケース部材のバレルホルダとの間にはレンズ部材をレンズの光軸方向に動かせる隙間を確保しつつ、焦点を合わせてレンズ部材を位置決めした後には、クサビリングによってバレルの外側面とバレルホルダの傾斜面との間隔を埋めるとともに、バレルの外側面とクサビリングの内周面との間およびバレルホルダの傾斜面とクサビリングの外周傾斜面との間の両方に一様な圧力をかけながらレーザ溶着を行なうことができるので、焦点合わせを行なった状態で安定して良好なレーザ溶着が可能となり、十分な強度でレンズ部材のバレルをケース部材のバレルホルダに取り付けることが可能となる。また、クサビリングの内周面とバレルの外側面との間およびクサビリングの外周傾斜面とバレルホルダの傾斜面との間でレーザ溶着を行なうことから十分な溶着面積を確保することができるので、十分な強度でレンズ部材のバレルをケース部材のバレルホルダに良好に取り付けることが可能となる。
【００１３】
また、本発明の第２のカメラモジュールにおけるレンズ部材の取付方法によれば、上記構成により、ケース部材のバレルホルダに取り付けられる円筒状のバレルにレンズが装着されてなるレンズ部材を準備し、レンズ部材を、バレルの外側面に上記クサビリングを装着してバレルホルダに挿入し、レンズ部材をレンズの光軸方向に動かして、カメラモジュールの撮像面にレンズの焦点を合わせて、次に、クサビリングの内周面をバレルの外側面に当接させるとともにクサビリングの外周傾斜面をバレルホルダの傾斜面に当接させ、しかる後、クサビリングの外周傾斜面に当接しているバレルホルダの傾斜面およびクサビリングの内周面に当接しているバレルの外側面にレーザを照射して、クサビリングをバレルホルダおよびバレルに溶着して、レンズ部材をケース部材に取り付けることから、レンズ部材のバレルとケース部材のバレルホルダとの間にはレンズ部材をレンズの光軸方向に動かせる隙間を確保しつつ、焦点を合わせてレンズ部材を位置決めした後には、クサビリングによってバレルの外側面とバレルホルダの傾斜面との間隔を埋めるとともに、バレルの外側面とクサビリングの内周面との間およびバレルホルダの傾斜面とクサビリングの外周傾斜面との間の両方に一様な圧力をかけながらレーザ溶着を行なうことができるので、焦点合わせを行なった状態で安定して良好なレーザ溶着が可能となり、十分な強度でレンズ部材のバレルをケース部材のバレルホルダに取り付けることが可能となる。また、クサビリングの内周面とバレルの外側面との間およびクサビリングの外周傾斜面とバレルホルダの傾斜面との間でレーザ溶着を行なうことから十分な溶着面積を確保することができるので、十分な強度でレンズ部材のバレルをケース部材のバレルホルダに良好に取り付けることが可能となる。
【００１４】
また、本発明の第３のカメラモジュールにおけるレンズ部材の取付方法によれば、上記構成により、ケース部材のバレルホルダに取り付けられる円筒状のバレルにレンズが装着されてなるレンズ部材を準備し、レンズ部材を、バレルの外側面に上記クサビリングを装着してバレルホルダに挿入し、クサビリングの外周傾斜面をバレルホルダの傾斜面に当接させながら、レンズ部材をレンズの光軸方向に動かして、カメラモジュールの撮像面にレンズの焦点を合わせて、しかる後、クサビリングの外周傾斜面に当接しているバレルホルダの傾斜面およびクサビリングの内周面に当接しているバレルの外側面にレーザを照射して、クサビリングをバレルホルダおよびバレルに溶着して、レンズ部材をケース部材に取り付けることから、レンズ部材のバレルとケース部材のバレルホルダとの間にはレンズ部材をレンズの光軸方向に動かせる隙間を確保しつつ、焦点を合わせてレンズ部材を位置決めした後には、クサビリングによってバレルの外側面とバレルホルダの傾斜面との間隔を埋めるとともに、バレルの外側面とクサビリングの内周面との間およびバレルホルダの傾斜面とクサビリングの外周傾斜面との間の両方に一様な圧力をかけながらレーザ溶着を行なうことができるので、焦点合わせを行なった状態で安定して良好なレーザ溶着が可能となり、十分な強度でレンズ部材のバレルをケース部材のバレルホルダに取り付けることが可能となる。また、クサビリングの内周面とバレルの外側面との間およびクサビリングの外周傾斜面とバレルホルダの傾斜面との間でレーザ溶着を行なうことから十分な溶着面積を確保することができるので、十分な強度でレンズ部材のバレルをケース部材のバレルホルダに良好に取り付けることが可能となる。
【００１５】
さらに、本発明のカメラモジュールにおけるレンズ部材の取付方法によれば、第１〜第３の取付方法のいずれかにおいて、クサビリングとしてレーザを透過させる樹脂からなるものを用い、バレルホルダおよびバレルとしてレーザを吸収する樹脂からなるものを用いるときには、クサビリングの内周面とバレルの外側面との間およびクサビリングの外周傾斜面とバレルホルダの傾斜面との間に確実にレーザを照射して効率よく溶着を行なうことができ、十分な溶着面積にわたって所望通りにレーザを照射して溶着を行なうことができるので、十分な強度でレンズ部材のバレルをケース部材のバレルホルダに良好にかつ確実に取り付けることが可能となる。また、溶着後の溶着面の状態をクサビリングを通して目視あるいは画像認識によって確認することもできるので、溶着状態の検査を容易に行なうことも可能となる。
【発明を実施するための最良の形態】
【００１６】
以下に、本発明のカメラモジュールにおけるレンズ部材の取付方法について添付図面を参照しつつ詳細に説明する。なお、以下の説明においては、カメラモジュールの前側にレンズが配置されるのに対してその反対側を後側という。
【００１７】
図１（ａ）は本発明のカメラモジュールにおけるレンズ部材の取付方法を適用するカメラモジュールの一例を示す分解斜視図であり、図１（ｂ）はその断面図であり、図１（ｃ）はケース部材にレンズ部材を取り付けた状態を示す正面図である。図１に示すように、この例のカメラモジュール10は、開口部に外側に向かって広がる傾斜面２ａを有するバレルホルダ２が設けられたケース部材１と、バレルホルダ２に取り付けられる円筒状のバレル４にレンズ５が装着されてなるレンズ部材３と、バレルホルダ２の傾斜面２ａに対応する外周傾斜面６ａおよびバレル４の外側面４ａに対応する内周面６ｂを有し、周方向の一部に切断部６ｃが形成されたクサビリング６とを具備している。
【００１８】
このようなカメラモジュール10は、小型オンボードカメラをはじめとして、電子カメラや車載カメラとして用いられるものである。車載カメラとして用いられる場合であれば、車両の周囲の撮像，道路上の白線の撮像あるいは車両を運転する運転手の死角を撮像する機能を有し、例えば運転席の前方に設置されたディスプレイに画像を表示したり、画像信号が自動車の走行の制御を行なうＥＣＵ（エレクトロニック・コントロール・ユニット）に利用されたりする。
【００１９】
ケース部材１は、前側にレンズ部材３が装着されるバレルホルダ２を有しており、内部の空間には撮像素子（図示せず）、例えばＣＣＤイメージセンサやＣＭＯＳイメージセンサ等の半導体イメージセンサ素子が撮像基板（図示せず）に搭載されて収納される。本例のケース部材１は、バレルホルダ２が設けられ、内部の空間に撮像素子が収納される前側の前部１ａと、前部１ａの内部の空間を封止する蓋状の後側の後部１ｂとが接合されて構成されている。バレルホルダ２は円筒状のバレル４が挿入される円筒状とされており、内径はバレル４の外径より若干大きい径となっている。バレルホルダ２の開口部には外側に向かって広がる傾斜面２ａを有している。この傾斜面２ａはクサビリング６の外周傾斜面６ａを当接させ密着させてレーザ溶着する面であり、この傾斜面２ａがあることによってバレル４を挿入しやすくもなっている。
【００２０】
レンズ部材３は、ケース部材１のバレルホルダ２に挿入されて取り付けられる円筒状のバレル４の内側にレンズ５が装着されてなるものである。レンズ５は、ケース部材１に収納された撮像素子に被写体光を集光するためのものであり、この例のレンズ部材３では、被写体光を広角度で集光するための前側の第１レンズと、第１レンズを通過した光を撮像素子に画像の歪みがない状態で焦点を合わせるための２枚のレンズとからなるレンズ群として構成されている。なお、本例のレンズ部材３においてはレンズ５の取付け構造は図示していないが、取付け構造に対する制約は特にない。
【００２１】
このようなバレルホルダ２を有するケース部材１およびそのバレルホルダ２に取り付けられるバレル４は、例えば、射出成形によって樹脂材料を用いて成形することにより所定の形状に形成される。樹脂材料としては種々の材料を用いることができるが、例えばポリカーボネート（ＰＣ）やポリフタルアミド（ＰＰＡ），ポリオキシメチレン（ポリアセタール）（ＰＯＭ），ポリフェニレンサルファイド（ＰＰＳ），アクリロニトリルブタジエンスチレン（ＡＢＳ）等の樹脂を用いることにより、必要な耐久性を確保するとともに軽量化が図られている。通常は、ケース部材１の前部１ｂと後部１ｃとの間で、またケース部材１のバレルホルダ２とレンズ部材３のバレル４との間で熱膨張および熱収縮を合わせて熱応力の発生を抑えるために、これらに同一の樹脂材料を用いることが好ましく、また、クサビリング６とのレーザ溶着を容易に安定して行なうために融点の近い樹脂材料を用いることが好ましいが、カメラモジュール10に要求される仕様に応じて、異なる樹脂材料を用いたり、金属材料を用いたりして構成されていても構わない。
【００２２】
クサビリング６は、バレルホルダ２の傾斜面２ａに対応する外周傾斜面６ａおよびバレル４の外側面４ａに対応する内周面６ｂを有し、周方向の一部に切断部６ｃが形成されており、切断部６ｃが形成されていることによってバネ性を有している。クサビリング６の内径はバレル４の外径に対して若干小さい径となっており、バレル４の外側面４ａにはめ込んだ際に内周面６ｂがバレル４の外側面４ａにレーザ溶着を行なうのに十分な圧力で密着するようになっている。
【００２３】
このクサビリング６も、例えば、射出成形によって樹脂材料を用いて成形することにより形成される。クサビリング６の樹脂材料としても、例えばポリカーボネート（ＰＣ），ポリオキシメチレン（ＰＯＭ），ポリブチレンテレフタレト（ＰＢＴ），ポリフェニレンサルファイド（ＰＰＳ），環状オレフィンコポリマー（ＣＯＣ）等の樹脂を用いることにより、必要な耐久性を確保し、軽量化が図られる。通常は、バレルホルダ２およびバレル４との間で熱膨張および熱収縮を合わせて熱応力の発生を抑えるために、ならびにバレルホルダ２およびバレル４とのレーザ溶着を容易に安定して行なうために、バレルホルダ２およびバレル４と同一の樹脂材料または融点の近い樹脂材料を用いることが好ましいが、異なる樹脂材料を用いたり、金属材料を用いたりしても構わない。
【００２４】
このような例のカメラモジュール10におけるケース部材１へのレンズ部材３の取付方法として、本発明の第１の取付方法の実施の形態の一例を図２に示す。図２（ａ）〜（ｃ）は、それぞれ本発明の第１のカメラモジュールにおけるレンズ部材の取付方法の実施の形態の一例を示す工程毎の側面図であり、図２（ｄ）は同じく断面図である。なお、図２において図１と同様の部位には同じ符号を付している。
【００２５】
図２に示す例においては、まず図２（ａ）に示すように、開口部に外側に向かって広がる傾斜面２ａを有するバレルホルダ２が設けられたカメラモジュールのケース部材１と、バレルホルダ２に取り付けられる円筒状のバレル４にレンズ５が装着されてなるレンズ部材３と、バレルホルダ２の傾斜面２ａに対応する外周傾斜面６ａおよびバレル４の外側面４ａに対応する内周面６ｂを有し、周方向の一部に切断部６ｃが形成されたクサビリング６とを準備する。
【００２６】
次いで、図２（ｂ）に示すように、レンズ部材３をバレルホルダ２に挿入する。
【００２７】
次いで、図２（ｃ）に示すように、レンズ部材３をレンズ５の光軸方向に動かして、カメラモジュールの撮像面にレンズ５の焦点を合わせ、次に、バレル４の外側面４ａにクサビリング６をはめ込んで、焦点を合わせた位置にバレル４を保持したままでクサビリング６をバレルホルダ２の開口部まで移動させて、図２（ｄ）に示すように、クサビリング６の内周面６ｂをバレル４の外側面４ａに当接させるとともにクサビリング６の外周傾斜面６ａをバレルホルダ２の傾斜面２ａに当接させる。このとき、クサビリング６は、内径がバレル４の外径に対して若干小さい径となっており、図示されていないが切断部６ｃが形成されていることから、この切断部６ｃを若干広げるようにしてバレル４にはめ込むことによって、バレル４の外側面４ａ上をスムーズに移動させることができるとともに、内周面６ｂをバレル４の外側面４ａに対してレーザ溶着を行なうのに十分な圧力で密着させることができる。
【００２８】
しかる後、図２（ｄ）に示すように、クサビリング６の外周傾斜面６ａに当接しているバレルホルダ２の傾斜面２ａおよびクサビリング６の内周面６ｂに当接しているバレル４の外側面４ａにレーザＬを照射して、クサビリング６をバレルホルダ２およびバレル４に溶着して、レンズ部材３をケース部材１に取り付ける。以上のようにして、図１に示す例のカメラモジュール10が作製される。
【００２９】
このような本発明の第１のカメラモジュールにおけるレンズ部材の取付方法によって、レンズ部材３のバレル４とケース部材１のバレルホルダ２との間にはレンズ部材３をレンズ５の光軸方向に動かせる隙間を確保しつつ、焦点を合わせてレンズ部材３を位置決めした後には、クサビリング６によってバレル４の外側面４ａとバレルホルダ２の傾斜面２ａとの間隔を埋めるとともに、バレル４の外側面４ａとクサビリング６の内周面６ｂとの間およびバレルホルダ２の傾斜面２ａとクサビリング６の外周傾斜面６ａとの間の両方に一様な圧力をかけながらレーザＬを照射してレーザ溶着を行なうことができるので、レンズ部材３を移動させてレンズ５の焦点合わせを行なった状態で安定して良好なレーザ溶着が可能となり、十分な強度でレンズ部材３のバレル４をケース部材１のバレルホルダ２に取り付けることが可能となる。また、クサビリング６の内周面６ｂとバレル４の外側面４ａとの間およびクサビリング６の外周傾斜面６ａとバレルホルダ２の傾斜面２ａとの間でレーザ溶着を行なうことから十分な溶着面積を確保することができるので、十分な強度でレンズ部材３のバレル４をケース部材１のバレルホルダ２に良好に取り付けることが可能となる。
【００３０】
次に、本発明の第２の取付方法の実施の形態の一例を図３に示す。図３（ａ）〜（ｃ）は、それぞれ本発明の第２のカメラモジュールにおけるレンズ部材の取付方法の実施の形態の一例を示す工程毎の側面図であり、図３（ｄ）は同じく断面図である。なお、図３において図１，２と同様の部位には同じ符号を付している。
【００３１】
図３に示す例においては、まず図３（ａ）に示すように、開口部に外側に向かって広がる傾斜面２ａを有するバレルホルダ２が設けられたカメラモジュールのケース部材１と、バレルホルダ２に取り付けられる円筒状のバレル４にレンズ５が装着されてなるレンズ部材３と、バレルホルダ２の傾斜面２ａに対応する外周傾斜面６ａおよびバレル４の外側面４ａに対応する内周面６ｂを有し、周方向の一部に切断部６ｃが形成されたクサビリング６とを準備する。
【００３２】
次いで、図３（ｂ）に示すように、レンズ部材３を、バレル４の外側面４ａにクサビリング６を装着して、バレルホルダ２に挿入する。このとき、クサビリング６は、内径がバレル４の外径に対して若干小さい径となっており、図示されていないが切断部６ｃが形成されていることから、この切断部６ｃを若干広げるようにしてバレル４にはめ込むことによって、バレル４の外側面４ａ上をスムーズに移動させることができるとともに、後の工程で内周面６ｂをバレル４の外側面４ａに対してレーザ溶着を行なうのに十分な圧力で密着させることができる。
【００３３】
次いで、図３（ｃ）に示すように、レンズ部材３をレンズ５の光軸方向に動かして、カメラモジュールの撮像面にレンズ５の焦点を合わせる。次に、焦点を合わせた位置にバレル４を保持したままでクサビリング６をバレルホルダ２の開口部まで移動させて、図３（ｄ）に示すように、クサビリング６の内周面６ｂをバレル４の外側面４ａに当接させるとともにクサビリング６の外周傾斜面６ａをバレルホルダ２の傾斜面２ａに当接させる。
【００３４】
しかる後、図３（ｄ）に示すように、クサビリング６の外周傾斜面６ａに当接しているバレルホルダ２の傾斜面２ａおよびクサビリング６の内周面６ｂに当接しているバレル４の外側面４ａにレーザＬを照射して、クサビリング６をバレルホルダ２およびバレル４に溶着して、レンズ部材３をケース部材１に取り付ける。以上のようにして、図１に示す例のカメラモジュール10が作製される。
【００３５】
このような本発明の第２のカメラモジュールにおけるレンズ部材の取付方法によっても、レンズ部材３のバレル４とケース部材１のバレルホルダ２との間にはレンズ部材３をレンズ５の光軸方向に動かせる隙間を確保しつつ、焦点を合わせてレンズ部材３を位置決めした後には、クサビリング６によってバレル４の外側面４ａとバレルホルダ２の傾斜面２ａとの間隔を埋めるとともに、バレル４の外側面４ａとクサビリング６の内周面６ｂとの間およびバレルホルダ２の傾斜面２ａとクサビリング６の外周傾斜面６ａとの間の両方に一様な圧力をかけながらレーザＬを照射してレーザ溶着を行なうことができるので、レンズ部材３を移動させてレンズ５の焦点合わせを行なった状態で安定して良好なレーザ溶着が可能となり、十分な強度でレンズ部材３のバレル４をケース部材１のバレルホルダ２に取り付けることが可能となる。また、クサビリング６の内周面６ｂとバレル４の外側面４ａとの間およびクサビリング６の外周傾斜面６ａとバレルホルダ２の傾斜面２ａとの間でレーザ溶着を行なうことから十分な溶着面積を確保することができるので、十分な強度でレンズ部材３のバレル４をケース部材１のバレルホルダ２に良好に取り付けることが可能となる。
【００３６】
次に、本発明の第３の取付方法の実施の形態の一例を図４に示す。図４（ａ）〜（ｃ）は、それぞれ本発明の第３のカメラモジュールにおけるレンズ部材の取付方法の実施の形態の一例を示す工程毎の側面図であり、図４（ｄ）は同じく断面図である。なお、図４において図１〜３と同様の部位には同じ符号を付している。
【００３７】
図４に示す例においては、まず図４（ａ）に示すように、開口部に外側に向かって広がる傾斜面２ａを有するバレルホルダ２が設けられたカメラモジュールのケース部材１と、バレルホルダ２に取り付けられる円筒状のバレル４にレンズ５が装着されてなるレンズ部材３と、バレルホルダ２の傾斜面２ａに対応する外周傾斜面６ａおよびバレル４の外側面４ａに対応する内周面６ｂを有し、周方向の一部に切断部６ｃが形成されたクサビリング６とを準備する。
【００３８】
次いで、図４（ｂ）に示すように、レンズ部材３を、バレル４の外側面４ａにクサビリング６を装着してバレルホルダ２に挿入する。このとき、クサビリング６は、内径がバレル４の外径に対して若干小さい径となっており、図示されていないが切断部６ｃが形成されていることから、この切断部６ｃを若干広げるようにしてバレル４にはめ込むことによって、バレル４の外側面４ａ上をスムーズに移動させることができるとともに、後の工程で内周面６ｂをバレル４の外側面４ａに対してレーザ溶着を行なうのに十分な圧力で密着させることができる。そして、クサビリング６の外周傾斜面６ａをバレルホルダ２の傾斜面２ａに当接させながら、レンズ部材３をレンズ５の光軸方向に動かして、カメラモジュールの撮像面にレンズ５の焦点を合わせる。
【００３９】
しかる後、図４（ｄ）に示すように、クサビリング６の外周傾斜面６ａに当接しているバレルホルダ２の傾斜面２ａおよびクサビリング６の内周面６ｂに当接しているバレル４の外側面４ａにレーザＬを照射して、クサビリング６をバレルホルダ２およびバレル４に溶着して、レンズ部材３をケース部材１に取り付ける。以上のようにして、図１に示す例のカメラモジュール10が作製される。
【００４０】
このような本発明の第３のカメラモジュールにおけるレンズ部材の取付方法によっても、レンズ部材３のバレル４とケース部材１のバレルホルダ２との間にはレンズ部材３をレンズ５の光軸方向に動かせる隙間を確保しつつ、焦点を合わせてレンズ部材３を位置決めした後には、クサビリング６によってバレル４の外側面４ａとバレルホルダ２の傾斜面２ａとの間隔を埋めるとともに、バレル４の外側面４ａとクサビリング６の内周面６ｂとの間およびバレルホルダ２の傾斜面２ａとクサビリング６の外周傾斜面６ａとの間の両方に一様な圧力をかけながらレーザＬを照射してレーザ溶着を行なうことができるので、レンズ部材３を移動させてレンズ５の焦点合わせを行なった状態で安定して良好なレーザ溶着が可能となり、十分な強度でレンズ部材３のバレル４をケース部材１のバレルホルダ２に取り付けることが可能となる。また、クサビリング６の内周面６ｂとバレル４の外側面４ａとの間およびクサビリング６の外周傾斜面６ａとバレルホルダ２の傾斜面２ａとの間でレーザ溶着を行なうことから十分な溶着面積を確保することができるので、十分な強度でレンズ部材３のバレル４をケース部材１のバレルホルダ２に良好に取り付けることが可能となる。
【００４１】
そして、以上の本発明の第１〜第３の取付方法においては、クサビリング６としてレーザＬを透過させる樹脂からなるものを用い、バレルホルダ２およびバレル４としてレーザＬを吸収する樹脂からなるものを用いることが好ましい。このときには、クサビリング６の内周面６ｂとバレル４の外側面４ａとの間およびクサビリング６の外周傾斜面６ａとバレルホルダ２の傾斜面２ａとの間に確実にレーザＬを照射して効率よく溶着を行なうことができ、十分な溶着面積にわたって所望通りにレーザＬを照射して溶着を行なうことができるので、十分な強度でレンズ部材３のバレル４をケース部材１のバレルホルダ２に良好にかつ確実に取り付けることが可能となる。また、溶着後の溶着面の状態をクサビリング６を通して目視あるいは画像認識によって確認することもできるので、溶着状態の検査を容易に行なうことも可能となる。
【００４２】
また、このようなクサビリング６に好適なレーザＬとしては、半導体レーザやファイバレーザ（波長：800ｎｍ〜、出力：必要な条件によって異なるが、数Ｗ〜数千Ｗ）を用いるとよい。
【００４３】
また、クサビリング６に好適なレーザＬを透過させる樹脂としては、例えばポリオキシメチレン（ＰＯＭ），ポリブチレンテレフタレト（ＰＢＴ），ポリフェニレンサルファイド（ＰＰＳ），環状オレフィンコポリマー（ＣＯＣ）がある。
【００４４】
また、バレルホルダ２およびバレル４に好適なレーザＬを吸収する樹脂としては、例えば上記のクサビリング６に好適な樹脂材料にカーボンブラック等のレーザＬの吸収を補助する添加剤を添加したものがある。
【００４５】
本発明は、上述した実施の形態の例に限定されるものではなく、本発明の要旨を逸脱しない範囲において種々の変更，改良等が可能である。
【００４６】
例えば、図５にクサビリング６の他の例の側面図で示すように、切断部６ｃの側面から見た形状を凹凸状（クランク状）とすることにより、クサビリング６の内周面６ｂをバレル４の外側面４ａに当接させるとともにクサビリング６の外周傾斜面６ａをバレルホルダ２の傾斜面２ａに当接させるようにクサビリング６に圧力をかけた際に、切断部６ｃを閉じてクサビリング６の外周傾斜面６ａおよび両端面を滑らかにすることが容易になる。
【図面の簡単な説明】
【００４７】
【図１】（ａ）は本発明のカメラモジュールにおけるレンズ部材の取付方法を適用するカメラモジュールの一例を示す分解斜視図であり、（ｂ）はその断面図であり、（ｃ）はケース部材にレンズ部材を取り付けた状態を示す正面図である。
【図２】（ａ）〜（ｃ）は、それぞれ本発明の第１のカメラモジュールにおけるレンズ部材の取付方法の実施の形態の一例を示す工程毎の側面図であり、（ｄ）は同じく断面図である。
【図３】（ａ）〜（ｃ）は、それぞれ本発明の第２のカメラモジュールにおけるレンズ部材の取付方法の実施の形態の一例を示す工程毎の側面図であり、（ｄ）は同じく断面図である。
【図４】（ａ）〜（ｃ）は、それぞれ本発明の第３のカメラモジュールにおけるレンズ部材の取付方法の実施の形態の一例を示す工程毎の側面図であり、（ｄ）は同じく断面図である。
【図５】本発明のカメラモジュールにおけるレンズ部材の取付方法に用いるクサビリングの他の例を示す側面図である。
【符号の説明】
【００４８】
１・・・ケース部材
１ａ・・・前部
１ｂ・・・後部
２・・・バレルホルダ
２ａ・・・傾斜面
３・・・レンズ部材
４・・・バレル
４ａ・・・外側面
５・・・レンズ
６・・・クサビリング
６ａ・・・外周傾斜面
６ｂ・・・内周面
６ｃ・・・切断部
Ｌ・・・レーザ
【図１】
2010107544.tif 000003
【図２】
2010107544.tif 000004
【図３】
2010107544.tif 000005
【図４】
2010107544.tif 000006
【図５】
2010107544.tif 000007